(57)【要約】【課題】従来のパネルブラインドは構造が複雑で高価になると共に、任意のパネル素子のみを反転することはできなかった。【解決手段】本発明のパネルブラインドは、横長のパネル素子の複数と、この複数のパネル素子を上下に連接するよう保持するパネル保持手段とより成り、上記各パネル素子が、両側を同一方向に略半円弧状に湾曲した表側パネルと、両側を同一方向に略半円弧状に湾曲した裏側パネルとより成り、上記表側及び裏側パネルが互いに離間して対向配置され、上記表側パネルの上記湾曲両側に、上記裏側パネルの上記湾曲両側が嵌合され、上記両パネル間に長手方向に延びる開放空間が形成され、上記パネル保持手段が、上端を固定した２本の横方向に離間して配置したループ状ベルトと、この各ベルトを上下の複数のループ部分に区劃するため互いに対向するベルト走行部分を連結する連結部材とより成り、上記各ループ部分内に上記各パネル素子が挿通され保持されていることを特徴とする。【選択図】図３
2009293310.tif 000002
【特許請求の範囲】
【請求項１】
横長のパネル素子の複数と、この複数のパネル素子を上下に連接するよう保持するパネル保持手段とより成り、上記各パネル素子が、両側を同一方向に略半円弧状に湾曲した表側パネルと、両側を同一方向に略半円弧状に湾曲した裏側パネルとより成り、上記表側及び裏側パネルが互いに離間して対向配置され、上記表側パネルの上記湾曲両側に、上記裏側パネルの上記湾曲両側が嵌合され、上記両パネル間に長手方向に延びる開放空間が形成され、上記パネル保持手段が、上端を固定した２本の横方向に離間して配置したループ状ベルトと、この各ベルトを上下の複数のループ部分に区劃するため互いに対向するベルト走行部分を連結する連結部材とより成り、上記各ループ部分内に上記各パネル素子が挿通され保持されていることを特徴とするパネルブラインド。
【請求項２】
上記各パネル素子の表側が鏡面であることを特徴とする請求項１記載のパネルブラインド。
【請求項３】
上記各パネル素子の端面が孔付キャップで塞がれていることを特徴とする請求項１または２記載のパネルブラインド。
【発明の詳細な説明】
【技術分野】
【０００１】
本発明はパネルブラインド、特に、上下に連接する各パネル素子が個々に回動変位可能なパネルブラインドに関するものである。
【背景技術】
【０００２】
ラダーコードに多数段のブラインド素子を角度調節、反転及び昇降可能に支持したブラインドは特許文献１に示されている。
【特許文献１】実開平２−８７８９６号
【発明の開示】
【発明が解決しようとする課題】
【０００３】
然しながら上記従来のブラインドは、各ブラインド素子の両端を夫々固定した２本のラダーコードと、各ブラインド素子を貫通する昇降コードと、操作コードの合計４本のコードを用い、ブラインド素子を同時に反転及び昇降可能に構成されており、その構造が複雑で高価になると共に、任意のパネル素子のみを回動変位せしめて任意の高さの部分に透視用隙間を形成したり鏡面部分を形成することは不可能であった。
【課題を解決するための手段】
【０００４】
本発明のパネルブラインドは、横長のパネル素子の複数と、この複数のパネル素子を上下に連接するよう保持するパネル保持手段とより成り、上記各パネル素子が、両側を同一方向に略半円弧状に湾曲した表側パネルと、両側を同一方向に略半円弧状に湾曲した裏側パネルとより成り、上記表側及び裏側パネルが互いに離間して対向配置され、上記表側パネルの上記湾曲両側に、上記裏側パネルの上記湾曲両側が嵌合され、上記両パネル間に長手方向に延びる開放空間が形成され、上記パネル保持手段が、上端を固定した２本の横方向に離間して配置したループ状ベルトと、この各ベルトを上下の複数のループ部分に区劃するため互いに対向するベルト走行部分を連結する連結部材とより成り、上記各ループ部分内に上記各パネル素子が挿通され保持されていることを特徴とする。
【０００５】
上記各パネル素子の表側は鏡面である。
【０００６】
また、本発明のパネルブラインドは、上記各パネル素子の端面が孔付キャップで塞がれていることを特徴とする。
【発明の効果】
【０００７】
本発明のパネルブラインドによれば、複数のパネル素子を２本のベルトで支持でき、また、任意のパネル素子を夫々１８０°に亘り回動変位でき、また、その裏側に鏡面を位置せしめることができ、また、９０°回転変位することによりパネル素子間に大きな透視用隙間を形成して大きく外光を取り入れたり視野を広げることができ、更に上下に連接するパネル素子相互間に任意の間隙を形成できる等大きな効果が得られる。
【０００８】
また、パネル素子内に形成される上記開放空間に基づく煙突効果によって開放空間内に強制対流を生ぜしめパネルからの熱吸収を極めて良くし、放熱効果を大きくできる。
【０００９】
また、パネルブラインドの裏側からの輻射熱が少なくなる。また、上記開放空間内に吸熱促進物として吸熱剤を収納して吸熱効果を高めたり、放熱促進物として保冷剤を収納して裏側パネルから熱を吸収できるようにすることができる。
【発明を実施するための最良の形態】
【００１０】
以下図面によって本発明の実施例を説明する。
【実施例１】
【００１１】
本発明のパネルブラインドは、図１に示すように複数、例えば３個の横長のブラインド素子１と、この３個のパネル素子１を上下に連接して水平に保持するパネル保持手段２とにより構成する。
【００１２】
上記各パネル素子１は、図２に示すように両側を同一方向に略半円弧状に湾曲した表側パネル３と、両側を同一方向に略半円弧状に湾曲した裏側パネル４とにより構成し、上記表側及び裏側パネル３と４を互いに離間して対向配置し、上記表側パネル３の上記湾曲両側に、上記裏側パネル４の上記湾曲両側を嵌合し、上記両パネル３と４間に長手方向に延びる開放空間５を形成せしめる。
【００１３】
なお、上記各パネル素子１の表側パネル３の表面は鏡面仕上げとするかまたは鏡６を被着せしめる。
【００１４】
また、上記パネル３と４は、例えば厚さ０．５ｍｍ、高さ４４ｃｍ、長さ１００ｃｍ、湾曲幅１９ｍｍの例えばアルミニウム板、プラスチック板または木材板とする。
【００１５】
また、上記パネル保持手段２は図１及び図３に示すように上端を固定した２本の横方向に離間して配置したループ状ベルト７ａ，７ｂと、この各ベルト７ａ，７ｂを上下の複数の部分、この実施例では３個のループ部分８に区劃するため互いに対向するベルト走行部分を連結する、上記ベルト走行部分にスライド自在な連結部材、例えば環９とにより構成し、上記各ループ部分８内に上記各パネル素子１を回動可能に挿通せしめる。
【実施例２】
【００１６】
本発明の他の実施例においては図１及び図３に示すように上記各パネル素子１の開放端面を孔１０付きキャップ１１によって塞ぐようにする。
【００１７】
本発明の実施例においてはパネルブラインドの外側面は鏡面であり、太陽光を反射し、パネル素子内は対流により空気の循環が高まりパネルブラインドの裏側からの輻射熱が少なくなる。また、上記開放空間５内に吸熱促進物として吸熱剤を収納して吸熱効果を高めたり、放熱促進物として保冷剤を収納して裏側パネル４から熱を吸収できるようにすることができる。
【００１８】
本発明によれば極めて簡単な構成により遮熱効果の大きいパネルブラインドを構成することができ、本発明のパネルブラインドは住宅の玄関口南西向き面で西日を防ぐために窓に取り付けて用いることができ、任意の高さに位置するパネル素子を９０°回転してパネル素子間の隙間を拡げれば容易に外が見えるようになり、１８０°回転して表側の鏡６を裏側に向ければ鏡として使用できるようになる等大きな利益がある。
【００１９】
なお、上記パネル素子１を上記ループ部分８内で回動せしめる場合には上記パネル素子１の上下の環９を通して上記ベルト走行部分がスライドし、上記パネル素子１の回動を許容するようになる。
【図面の簡単な説明】
【００２０】
【図１】本発明のパネルブラインドの正面図である。
【図２】本発明のパネルブラインドのパネル素子の斜視図である。
【図３】本発明のパネルブラインドの一部の斜視図である。
【符号の説明】
【００２１】
１    パネル素子
２    パネル保持手段
３    パネル
４    パネル
５    開放空間
６    鏡
７ａ  ベルト
７ｂ  ベルト
８    ループ部分
９    環
１０    孔
１１    キャップ
【図１】
2009293310.tif 000003
【図２】
2009293310.tif 000004
【図３】
2009293310.tif 000005